(57)【要約】【課題】穴あきインサートシート、穴あきシートも使用した場合の後処理加工ミスを防止できる後処理装置を提供する。【解決手段】インサートシートが使用可能な画像形成装置の後処理装置において、後処理装置で行うジョブ内容の情報である後処理ジョブ内容情報を取得する後処理ジョブ内容情報取得手段と、インサートシートの綴じ穴に関するインサートシート穴情報を検知するインサートシート穴情報検知手段と、画像形成装置から送り込まれるシートの綴じ穴に関するシート穴情報を検知するシート穴情報検知手段と、後処理ジョブ内容情報、インサートシート穴情報およびシート穴情報に基づき後処理加工の可否を判断し、可能ならば後処理加工を行うよう制御する制御手段と、を備えたことを特徴とする後処理装置。【選択図】        図２
2005029295.tif 000002
【特許請求の範囲】
【請求項１】
インサートシートが使用可能な画像形成装置の後処理装置において、
後処理装置で行うジョブ内容の情報である後処理ジョブ内容情報を取得する後処理ジョブ内容情報取得手段と、
前記インサートシートの綴じ穴に関するインサートシート穴情報を検知するインサートシート穴情報検知手段と、
画像形成装置から送り込まれるシートの綴じ穴に関するシート穴情報を検知するシート穴情報検知手段と、
前記後処理ジョブ内容情報、前記インサートシート穴情報および前記シート穴情報に基づき後処理加工可否を判断し、可能ならば後処理加工を行うよう制御する制御手段と、
を備えたことを特徴とする後処理装置。
【請求項２】
前記インサートシート穴情報検知手段および前記シート穴情報検知手段は、少なくとも綴じ穴の位置、綴じ穴の有無の１つを検知することを特徴とする請求項１に記載の後処理装置。
【請求項３】
前記インサートシート穴情報検知手段およびシート穴情報検知手段は、１つの検知センサによりインサートシート穴情報とシート穴情報を検知可能であることを特徴とする請求項１または２に記載の後処理装置。
【請求項４】
前記検知センサは、ライン型ＣＣＤイメージセンサであることを特徴とする請求項１、２または３に記載の後処理装置。
【請求項５】
前記制御手段は、前記後処理ジョブ内容情報、前記インサートシート穴情報および前記シート穴情報に基づく処理加工可否の判断内容を予め第１ルックアップテーブルとして作成しておき、前記後処理ジョブ内容情報、前記インサートシート穴情報および前記シート穴情報に基づき前記第１ルックアップテーブルから処理加工可否の判断を行うよう制御することを特徴とする請求項１に記載の後処理装置。
【請求項６】
前記制御手段は、前記判断により後処理加工が可能な場合、後処理加工内容を予め第２ルックアップテーブルとして作成しておき、前記後処理ジョブ内容情報、前記インサートシート穴情報および前記シート穴情報に基づき前記第２ルックアップテーブルから後処理加工内容を抽出するよう制御することを特徴とする請求項５に記載の後処理装置。
【請求項７】
前記第２ルックアップテーブルには、穴あきインサートシートと穴なしシートを組み合わせる場合、後処理加工内容が前記穴あきインサートシートの綴じ穴位置に前記穴なしシートの綴じ穴をあけるように作成されていることを特徴とする請求項６に記載の後処理装置。
【請求項８】
前記制御手段は、後処理加工の可否を判断して後処理加工が不可能な場合には、すでに設定されている後処理ジョブ内容情報が変更可能であることを特徴とする請求項１に記載の後処理装置。
【請求項９】
前記制御手段は、後処理加工の可否を判断して後処理加工が不可能な場合には、前記インサートシート穴情報および前記シート穴情報に基づき後処理加工可能なジョブ内容を抽出可能であることを特徴とする請求項８に記載の後処理装置。
【請求項１０】
前記制御手段は、後処理加工の可否を判断して後処理加工が不可能な場合には、前記インサートシート穴情報および前記シート穴情報に基づき後処理加工可能なジョブ内容を予め第３ルックアップテーブルとして作成しておき、後処理加工可能なジョブ内容を、前記インサートシート穴情報および前記シート穴情報に基づき前記第３ルックアップテーブルから抽出するよう制御することを特徴とする請求項９に記載の後処理装置。
【請求項１１】
前記制御手段は、後処理加工の可否を判断して後処理加工が不可能な場合には、前記インサートシート穴情報および前記シート穴情報に基づき後処理加工可能なジョブの後処理加工内容を予め第４ルックアップテーブルとして作成しておき、後処理加工内容を前記インサートシート穴情報および前記シート穴情報に基づき前記第４ルックアップテーブルから抽出するよう制御することを特徴とする請求項９に記載の後処理装置。
【請求項１２】
少なくとも、後処理加工が不可能な場合の警告表示がされる表示部を有することを特徴とする請求項１から１１のいずれか１項に記載の後処理装置。
【請求項１３】
少なくとも画像形成装置と前記画像形成装置に用いる請求項１から１２のいずれか１項に記載の後処理装置とを備えたことを特徴とする画像形成システム。
【請求項１４】
インサートシートが使用可能な画像形成装置の後処理装置において、
後処理装置で行うジョブ内容の情報である後処理ジョブ内容情報を取得する後処理ジョブ内容情報取得手段と、
前記インサートシートの綴じ穴に関するインサートシート穴情報を検知するインサートシート穴情報検知手段と、
前記後処理ジョブ内容情報および前記インサートシート穴情報に基づき後処理加工の可否を判断し、可能ならば後処理加工を行うよう制御する制御手段と、
を備えたことを特徴とする後処理装置。
【請求項１５】
前記インサートシート穴情報検知手段は、少なくとも綴じ穴の位置、綴じ穴の有無の１つを検知することを特徴とする請求項１４に記載の後処理装置。
【請求項１６】
前記インサートシート穴情報検知手段の検知センサは、ライン型ＣＣＤイメージセンサであることを特徴とする請求項１４または１５に記載の後処理装置。
【請求項１７】
前記制御手段は、前記後処理ジョブ内容情報および前記インサートシート穴情報に基づき後処理加工可否の判断を予め第１ルックアップテーブルとして作成しておき、前記後処理ジョブ内容情報および前記インサートシート穴情報に基づき前記第１ルックアップテーブルから抽出して行うように制御することを特徴とする請求項１４に記載の後処理装置。
【請求項１８】
前記制御手段は、判断により後処理加工が可能な場合、後処理加工内容を予め第２ルックアップテーブルとして作成しておき、前記後処理ジョブ内容情報および前記インサートシート穴情報に基づき前記第２ルックアップテーブルから抽出するよう制御することを特徴とする請求項１４に記載の後処理装置。
【請求項１９】
前記第２ルックアップテーブルには、穴あきインサートシートと穴なしシートを組み合わせる場合には、前記穴あきインサートシートの綴じ穴位置に前記穴なしシートの綴じ穴をあけるように作成されていることを特徴とする請求項１４に記載の後処理装置。
【請求項２０】
前記制御手段は、後処理加工の可否を判断して後処理加工が不可能な場合には、設定されている後処理ジョブ内容情報が変更可能であることを特徴とする請求項１４に記載の後処理装置。
【請求項２１】
前記制御手段は、後処理加工の可否を判断して後処理加工が不可能な場合には、前記インサートシート穴情報に基づき後処理加工可能なジョブ内容を抽出可能であることを特徴とする請求項２０に記載の後処理装置。
【請求項２２】
前記制御手段は、後処理加工の可否を判断して後処理加工が不可能な場合、前記インサートシート穴情報に基づき後処理加工可能なジョブ内容を予め第３ルックアップテーブルとして作成しておき後処理加工可能なジョブ内容を、前記インサートシート穴情報に基づき前記第３ルックアップテーブルから抽出するよう制御することを特徴とする請求項１４に記載の後処理装置。
【請求項２３】
前記制御手段は、後処理加工の可否を判断して後処理加工が不可能な場合には、前記インサートシート穴情報に基づき後処理加工可能なジョブの後処理加工内容を予め第４ルックアップテーブルとして作成しておき、前記インサートシート穴情報に基づき前記第４ルックアップテーブルから抽出するよう制御することを特徴とする請求項２２に記載の後処理装置。
【請求項２４】
少なくとも、後処理加工が不可能な場合の警告表示がされる表示部を有することを特徴とする請求項１４から２３のいずれか１項に記載の後処理装置。
【請求項２５】
少なくとも画像形成装置と前記画像形成装置に用いる請求項１４から２４のいずれか１項に記載の後処理装置とを備えたことを特徴とする画像形成システム。
【発明の詳細な説明】
【０００１】
【発明の属する技術分野】
本発明は後処理装置および画像形成システムに係わり、特に、穴あきインサートシートが使用可能な後処理装置、および該後処理装置と画像形成装置よりなる画像形成システムに関する。
【０００２】
【従来の技術】
従来より、画像形成装置の後処理装置として、画像形成装置で画像が形成されたシートに穿孔処理、ステープル処理、中折り処理、裁断処理等の後処理加工を行う装置があり、この後処理装置には画像が形成された複数のシートの表紙、区分け合紙としてインサートシートが用意された装置が知られている。
【０００３】
その一例の後処理装置として、画像形成装置による画像形成後のシートの穿孔処理に加えて、後処理装置から給送されるインサートシートについても穿孔処理ができ、穿孔処理された穴あきインサートシートと、シートの穿孔処理された穴あきシートを適宜組み合わせて処理することができる装置があり、その効果として、シート、インサートシートに穿孔処理ができ、穿孔処理された穴あきシートと、穴あきインサートシートを適宜組み合わせて例えばステープル処理することができる技術が開示されている（特許文献１）。
【０００４】
近年、インサートシートとして、予め穿孔された穴あきインサートシートも使われるようになってきた。
【０００５】
また、画像形成装置で使用されるシートについても、穴あきシートも使われるようになってきた。
【０００６】
【特許文献１】
特開２００１−３２２７６３号公報
【０００７】
【発明が解決しようとする課題】
しかしながら、従来の後処理装置では、すでに穿孔処理された穴あきインサートシートを装填して使用したり、すでに穿孔処理された穴あきシートを装填して使用したりする場合、図９（ａ）に示すように綴じ穴の位置にステープル処理がされたり、図９（ｂ）に示すように穴あきシートにさらにずれて穿孔されてずれた穴があいたり、さらに図９（ｃ）に示すように綴じ穴位置で中折り処理されるといった後処理加工ミスが発生しやすいという問題がある。
【０００８】
第１の発明の目的は、すでに穿孔処理された穴あきインサートシート、更にすでに穿孔処理された穴あきシートを使用する場合の後処理加工ミスを簡易に防止できる後処理装置を提供することにある。さらに他の目的は、第１の発明の後処理装置と画像形成装置を含む画像形成システムを提供することにある。
【０００９】
第２の発明の目的は、すでに穿孔処理された穴あきインサートシート、穴なしシートを使用する場合の後処理装置における後処理加工ミスを容易に防止できる後処理装置を提供することにある。さらに他の目的は、他の目的は、第２の発明の後処理装置と画像形成装置を含む画像形成システムを提供することにある。
【００１０】
【課題を解決するための手段】
上記の第１の発明の目的は下記の手段のいずれかにより達成できる。
【００１１】
（１）インサートシートが使用可能な画像形成装置の後処理装置において、後処理装置で行うジョブ内容の情報である後処理ジョブ内容情報を取得する後処理ジョブ内容情報取得手段と、前記インサートシートの綴じ穴に関するインサートシート穴情報を検知するインサートシート穴情報検知手段と、画像形成装置から送り込まれるシートの綴じ穴に関するシート穴情報を検知するシート穴情報検知手段と、前記後処理ジョブ内容情報、前記インサートシート穴情報および前記シート穴情報に基づき後処理加工可否を判断し、可能ならば後処理加工を行うよう制御する制御手段と、を備えたことを特徴とする後処理装置。
【００１２】
（２）少なくとも画像形成装置と前記画像形成装置に用いる前記（１）に記載の後処理装置とを備えたことを特徴とする画像形成システム。
【００１３】
上記の第２の発明の目的は下記の手段のいずれかにより達成できる。
（３）インサートシートが使用可能な画像形成装置の後処理装置において、
後処理装置で行うジョブ内容の情報である後処理ジョブ内容情報を取得する後処理ジョブ内容情報取得手段と、前記インサートシートの綴じ穴に関するインサートシート穴情報を検知するインサートシート穴情報検知手段と、前記後処理ジョブ内容情報および前記インサートシート穴情報に基づき後処理加工の可否を判断し、可能ならば後処理加工を行うよう制御する制御手段と、を備えたことを特徴とする後処理装置。
【００１４】
（４）少なくとも画像形成装置と前記画像形成装置に用いる前記（３）に記載の後処理装置とを備えたことを特徴とする画像形成システム。
【００１５】
ここで、使用する用語の意味について説明する。「インサートシート」とは、画像形成されたシートと組み合わされて後処理装置で使用される全ての用紙をいい、例えば、表紙やシートの間に入れる区分け合紙等をいう。また、「穴あきインサートシート」とは、綴じ穴があいているインサートシートをいう。「シート」とは、画像形成装置で用いられる、画像が形成されるシートの全てをいい、例えば、普通紙、厚紙、透明紙等をいう。「穴あきシート」とは、綴じ穴があいているシートをいう。「シート束」とは、複数のシート、複数のインサートシート、または複数のシートとインサートシートの組み合わせの束を総称していうことにする。「後処理ジョブ内容情報」とは、後処理装置で行う後処理ジョブ内容の情報をいう。「インサートシート穴情報」とは、インサートシートの綴じ穴に関する情報で、例えば、穴の位置、穴の数等の情報をいう。「シート穴情報」とは、シートの綴じ穴に関する情報で、例えば、穴の位置、穴の数等の情報をいう。
【００１６】
【発明の実施の形態】
〈実施の形態１〉
第１の発明に係わる実施の形態の後処理装置および画像形成システムについて図面を参照して説明する。
【００１７】
この画像形成システムは、すでに穿孔処理された穴あきインサートシート、更にすでに穿孔処理された穴あきシートも使用する場合の後処理加工ミスを簡易に防止できる後処理装置、と画像形成装置を含むシステムである。
【００１８】
図１は実施の形態１の画像形成システムの全体の構成断面図、図２は図１の後処理装置の構成断面図である。
【００１９】
図１に示すように、画像形成システムは、画像形成装置１００、画像読み取り装置２００、後処理装置ＦＳＡから構成されている。画像形成装置１００の上部には、原稿ｄを搬送する自動原稿送り装置を備えた画像読み取り装置２００が設置されている。画像形成装置１００の上部前面側には、操作部５１と表示部５２を有する操作パネル５０が配置されている。給紙部から給送された穴あき又は穴なしシートＰは、像担持体、帯電器、像露光手段、現像器、転写器、除電器、クリーニング装置等から成る画像形成部において画像が形成されたのち、定着器により加熱定着され、排紙部から後処理装置ＦＳＡの受入部１１に送り込まれる。後処理装置ＦＳＡはシートの各種後処理加工がなされる。
【００２０】
次に、前述の後処理装置ＦＳＡについて説明する。図１、図２に示すように、後処理装置ＦＳＡは、図示の上段にインサートシートＫの給紙手段１２、インサートシート穴情報検知手段３０が配置され、中段には穿孔処理部１４が配置され、また、下段にはシート穴情報検知手段４０、ステイプル処理部１７、中折り処理部１７、および制御手段６０Ａが配置され、中折り処理部１８の下方には、排紙収容部１９が設置されている。また、後処理装置ＦＳＡの図示左側面には、シート、インサーシートを積載する排紙台７５が配置されている。なお、後処理装置に関する操作パネル５０は画像形成装置１００側に配置されている。
【００２１】
操作パネル５０は操作部５１と表示部５２で構成され、操作部５１には後処理装置をスタート操作させるスタートボタン、後処理ジョブ内容の入力と後処理ジョブ内容の変更入力等ができる図示しないボタン、また表示部５２には後処理加工が不可能な場合に後処理可能な後処理ジョブ内容の表示、後処理加工が不可能な場合の警告等が表示される。
【００２２】
後処理装置ＦＳＡで行うジョブ内容の情報である後処理ジョブ内容情報は、後処理ジョブ内容情報取得手段２０（図３）により後処理ジョブ内容情報２１（図４）が取得されるが詳しくは後述する。
【００２３】
インサートシートＫには穴あき又は穴なしインサートシートがあり、インサートシートＫは給紙手段１２の給紙皿内に収容され、第１搬送路▲１▼に沿って把持搬送され受入部１１に導入される。
【００２４】
インサートシートＫは、第１搬送路▲１▼に沿って搬送中にインサートシート穴情報検知手段３０であるライン型ＣＣＤイメージセンサにより、インサートシートＫの綴じ穴の位置、綴じ穴の有無等のインサートシート穴情報３１（図４，図５）が検知され一時記憶される。
【００２５】
又、シートＰには、穴あき又は穴なしシートがあり、シートＰは画像形成装置１００から後処理装置ＦＳＡに送り込まれ、第２搬送路▲２▼に沿って把持搬送され受入部１１に導入される。
【００２６】
シートＰは、第２搬送路▲２▼を搬送中にシート穴情報検知手段４０であるライン型ＣＣＤイメージセンサによりシートＰの綴じ穴の位置、綴じ穴の有無等のシート穴情報４１（図４，図５）が検知され一時記憶される。なお、インサートシート穴情報検知およびシート穴情報検知は１つのライン型ＣＣＤイメージセンサにより検知するようにしてもよい。
【００２７】
ゲートＧ１、ゲートＧ２は、穿孔処理部１４のシート搬送方向下流側に設らけれている。このゲートＧ１とゲートＧ２は、３方のシート搬送路である上段排紙用の第６搬送路▲６▼、中段の第３搬送路▲３▼、下段の第４搬送路▲４▼の何れかに選択的に分岐させるようになっている。
【００２８】
穿孔処理部１４では、シート、インサートシーを幅方向に移動させる駆動手段、パンチ昇降駆動手段、シート幅検知手段、レジストローラおよび搬送ローラ等から構成され、シートＰ、インサートシートＫに穿孔処理が行われる。
【００２９】
シートＰ、インサートシートＫは第３搬送路▲３▼に沿って把持搬送され装置外の排紙台７５に排出される。
【００３０】
ステイプル処理部１７では、シートＰおよび／またはインサートシートＫ（総称してシートということにする）にステープル処理が施される。詳しくは、穿孔処理部１４を通過し、ゲートＧ２の下方の第４搬送路▲４▼に送り込まれ、シート載置台１７１上に載置される。シートの後端部が入口搬送ローラ対１７０の挟持位置から排出された後には、シートはその自重によりシート載置台１７１の傾斜面上を下降し、シート後端部が綴じ手段１７２近傍に設けた平綴じ用の第１突き当て部材１７３に当接して停止する。入口搬送ローラ対１７０の下流側に配置されて回動するエンドレス状の巻き込みベルト１７４は、シートの後端部付近に摺接して、第１突き当て部材１７３に送り込む。シート載置台１７１の両側面に移動可能に設けた一対の幅整合部材１７５は、シートの幅方向の側縁を軽打してシート束Ｓａの幅揃え（幅整合）を行う。この停止位置において、シート載置台１７１上に所定枚数のシートが積載、整合されると、綴じ手段１７２により平綴じ処理が行われ、シート束Ｓａが綴じ合わされる。
【００３１】
中折り処理部１８では、シートＰおよび／またはインサートシートＫ（総称してシートということにする）に中折り処理が施される。詳しくは、ステイプル処理後、ステイプル、中折り兼用の第２突き当て部材１７８がシート束Ｓａの搬送下流方向に直線移動して、通紙路下流の通路を開放する。移動可能な第２突き当て部材１７８は、上方位置において中綴じ処理時のシート束Ｓａの停止位置を規制するとともに、下方位置において中折り処理時のシート束Ｓａの停止位置を規制する。ステープル処理されたシートＳａは、斜め下方を通紙路内を搬送され、第２突き当て部材１７８にシート束Ｓａの搬送方向の端部が当接して、所定位置に停止する。第２突き当て部材１７８はシートサイズの設定又は検知結果と駆動手段により所定位置に移動可能である。折りローラ１８２、１８３は、ほぼ対称形をなす左右一対の押圧手段により支持されている。一方の押圧手段は、折りローラ１８２と、この折りローラ１８２を回転可能に支持し、支軸１８４Ａを中心に揺動可能な支持板１８５Ａと、この支持板１８５Ａの一端に係止され、折りローラ１８２を挟持位置方向に付勢するバネ１８６Ａとから成る。折りローラ１８３は、折りローラ１８２とほぼ対称形を成し、支軸１８４Ｂ、支持板１８５Ｂ、バネ１８６Ｂから成る。折りローラ１８２、１８３は、折りローラ駆動手段により駆動回転される。折りローラ１８２、１８３の各外周面は、高摩擦抵抗材により形成されている。
【００３２】
後処理装置の電気的構成である電気関係ブロック６０Ａについて説明する。図３は後処理装置ＦＳＡにおける電気関係のブロック図である。図３において、６０１は操作部５１の電気部分であり、後処理ジョブ内容情報取得手段２０も含まれる。６０２は表示部５２の電気部分である。６０３はシートＰ、インサートシートＫの搬送部の電気部分、６０４はインサートシート穴情報検知手段３０の電気部分、６０５はシート穴情報検知手段４０の電気部分である。また６０６は穿孔処理部１４の電気部分、６０７はステイプル処理部１７の電気部分、および６０８は中折り部１８の電気部分である。
【００３３】
制御手段６５Ａは、ＣＰＵ、ＲＯＭおよびＲＡＭ等で構成され後処理装置シーケンシャルに制御したり前述の各ブロックを制御する。また制御手段６０Ａは、第１ルックアップテーブル６１Ａ、第２ルックアップテーブル６２Ａ、第３ルックアップテーブル６３Ａ、第４ルックアップテーブル６４ＡがＲＯＭに格納され必要な時に取り出せる。さらに、制御手段６０Ａは、図４，５に示すように、後処理ジョブ内容情報２１、インサートシート穴情報３１およびシート穴情報４１に基づき、後処理加工可否の判断を予め第１ルックアップテーブル６１Ａとして作成しておき、後処理ジョブ内容情報、インサートシート穴情報およびシート穴情報に基づき、第１ルックアップテーブル６１Ａから抽出して制御する。また、後処理加工が可能な場合には、後処理ジョブ内容情報、インサートシート穴情報およびシート穴情報に基づき後処理加工内容を予め第２ルックアップテーブル６２Ａとして作成しておき、後処理ジョブ内容情報、インサートシート穴情報およびシート穴情報に基づき、第２ルックアップテーブル６２Ａから抽出して制御する。なお、第２ルックアップテーブル６２Ａには、穴あきインサートシートと穴なしシートを組み合わせる場合には穴あきインサートシートＫの綴じ穴位置にシートＰの綴じ穴をあけるように作成されている。また、後処理加工が不可能な場合には、すでに取得している後処理ジョブ内容情報を操作部５１より変更可能で、インサートシート穴情報およびシート穴情報に基づき、後処理加工可能なジョブ内容を抽出できる。インサートシート穴情報およびシート穴情報に基づき、後処理加工可能なジョブ内容を予め第３ルックアップテーブル６３Ａとして作成しておき、後処理加工可能なジョブ内容を、検知したインサートシート穴情報およびシート穴情報に基づき第３ルックアップテーブル６３Ａから抽出して制御する。さらに、インサートシート穴情報およびシート穴情報に基づき、後処理加工可能なジョブの後処理加工内容を予め第４ルックアップテーブル６４Ａとして作成しておき、インサートシート穴情報およびシート穴情報に基づき第４ルックアップテーブル６４Ａから抽出して制御する。
【００３４】
第１から第４ルックアップテーブルについて説明する。図４は第１、第２ルックアップテーブル、図５は第３、第４ルックアップテーブルの一例を示す図である。なお、この一例は、インサートシート穴情報として３つ穴の有無、シート穴情報として３つ穴の有無、またステイプル処理は２カ所のステイプルの一例である。図中において「不可」は後処理ジョブが実行不可、「可」は後処理ジョブが実行可能であることを示すものとする。
【００３５】
図４（ａ）は第１ルックアップテーブル６１Ａの一例を示す図で、第１ルックアップテーブル６１Ａは、後処理ジョブ内容情報２１、インサートシート穴情報３１およびシート穴情報４１に基づき、各後処理ジョブ内容ごとに後処理加工の可否２１ａの判断が作成されている。例えば、後処理ジョブ内容情報２１としてステイプル処理が入力され、インサートシート穴情報３１として穴あきインサートシート、シート穴情報４１として穴あきシートが検知された場合のは、ステイプル処理は「不可」と判断され、図９（ａ）に示す後処理加工ミスが防止できるようになる。
【００３６】
図４（ｂ）は第２ルックアップテーブル６２Ａの一例を示す図で、第２ルックアップテーブル６２Ａは、後処理ジョブ内容情報２１、インサートシート穴情報３１およびシート穴情報４１に基づき後処理加工内容２１ｂが作成されている。なお、後処理加工内容２１ｂを予め第２ルックアップテーブル６２Ａとして作成において、穴あきインサートシートＫと穴なしシートＰを組み合わせる場合、穴あきインサートシートの綴じ穴位置にシートの綴じ穴をあけるようにする。
【００３７】
図５（ｃ）は第３ルックアップテーブル６３Ａの一例を示す図である。第３ルックアップテーブル６３Ａは、インサートシート穴情報３１およびシート穴情報４１に基づき後処理加工の可否の表示内容が作成されている。
【００３８】
図５（ｄ）は第４ルックアップテーブル６４Ａの一例を示す図である。第４ルックアップテーブル６４Ａは、インサートシート穴情報３１およびシート穴情報４１に基づき後処理加工内容の表示内容が作成されている。
【００３９】
ここで、後処理装置の主な動作について図１から図６により説明する。図６は後処理装置の動作の流れを示すフローチャート図である。操作部５１から後処理装置のジョブ内容を入力し、後処理ジョブ内容情報２１を検知する（フローＦ０１）。ここで、後処理装置をスタートさせるスタート操作入力をする（フローＦ０２）。シートＰを第２搬送路▲２▼に沿って搬送させ（フローＦ０３）、シートＰの穴に関するシート穴情報４１をシート穴情報検知手段４０により検知する（フローＦ０４）。又、インサートシートＫを第１搬送路▲１▼に沿って搬送させ（フローＦ０５）、インサートシートの穴に関するインサートシート穴情報３１をインサートシート穴情報検知手段３０により検知する（フローＦ０６）。ここで、制御手段６０Ａにより第１ルックアップテーブル６１Ａを用いて後処理が実行可能かどうか判断する（フローＦ０７）。ＮＯであれば、後処理加工ミスになるので、第３ルックアップテーブル６３Ａを用いて後処理が可能なジョブ内容の範囲を表示部５２に表示し（フローＦ０８）、ここで、表示に従い操作部５１から後処理装置のジョブ内容を再入力する（フローＦ０９）。フローＦ０７でＹＥＳ、また、再入力が終われば、シートＰの搬送（フローＦ１０）とインサートシートＫの搬送（フローＦ１１）をする。第４ルックアップテーブル６４Ａを用いて後処理加工を行う（フローＦ１２）。その後にシート（シートとインサートシート）を排出（フローＦ１３）して処理を終了する。なお、表示部５２に表示する（フローＦ０８）後に、後処理装置のジョブを中止してシート、インサートシートを排出（フローＦ１３）するようにしてもよい。
【００４０】
以上のように、シートの後処理加工が適切に行われる。後処理加工ミスが防止できる。
【００４１】
〈実施の形態２〉
次に、第２の発明に係わる後処理装置および画像形成システムについて図面を参照して説明する。この画像形成システムは、すでに穿孔処理された穴あきインサートシート（但し、シートは穴なしのみ）も使用する場合の後処理装置における後処理加工ミスを容易に防止できる後処理装置と画像形成装置を含むシステムである。
【００４２】
画像形成システムは画像形成装置１００、画像読み取り装置、後処理装置ＦＳＢより構成されている。前述の実施の形態１の図１において、後処理装置ＦＳＡが後処理装置ＦＳＢ（図７参照）に置き換わった構成となっている。
【００４３】
画像形成装置ＦＳＢでは、穴なしシートのみが画像形成装置１００から給送され、また、シートＰようのシート穴情報の検知センサがない点以外は、実施の形態１と機構的に同じであるので、機構的に同じ部分は同一符号を付け一部説明を省略し、異なる部分を中心に説明する。
【００４４】
図７に示すように、後処理装置ＦＳＢの下段には電気回路ブロック６０Ｂが配置されている。また、後処理装置ＦＳＢに関する操作パネル５０は、画像形成装置１００側に配置されている。
【００４５】
後処理装置ＦＳＢで行うジョブ内容の情報である後処理ジョブ内容情報は、後処理ジョブ内容情報取得手段により後処理ジョブ内容情報が取得されるが詳しくは後述する。
【００４６】
インサートシートＫには穴あき又は穴なしインサートシートがあり、インサートシートＫは給紙手段１２の給紙皿内に収容され、第１搬送路▲１▼に沿って把持搬送され受入部１１に導入される。
【００４７】
インサートシートＫは、第１搬送路▲１▼に沿って搬送中にインサートシート穴情報検知手段３０であるライン型ＣＣＤイメージセンサにより、インサートシートＫの綴じ穴の位置、綴じ穴の有無等のインサートシート穴情報が検知され一時記憶される。
【００４８】
シートＰには、穴なしシートのみあり、シートＰは画像形成装置１００から後処理装置ＦＳＢに送り込まれ、第２搬送路▲２▼に沿って把持搬送され受入部１１に導入される。
【００４９】
穿孔処理部１４、ステイプル処理１７、中折り処理部１８は、実施の形態１と機構的に同一である。
【００５０】
後処理装置の電気的構成である電気関係ブロック６０Ｂについて説明する。前述の図３に示す電気関係ブロック６０Ａと異なる部分を中心に説明する。図３に示す６０１、６０２、６０３、６０４、６０６、６０７、６０８は機能的に同一であるが、６０５のシート穴検知センサ４０の電気部分はない。
【００５１】
実施の形態１の制御手段６５Ａに相当する制御手段６５Ｂ（図７Ｂ）は、ＣＰＵ、ソフトプログラムが書き込まれたＲＯＭ、およびＲＡＭ等で構成された制御手段であり、制御手段６０Ｂには後処理装置シーケンシャルに制御したり前述の各ブロックを制御し、第１ルックアップテーブル６１Ｂ、第２ルックアップテーブル６２Ｂ、第３ルックアップテーブル６３Ｂ、第４ルックアップテーブル６４ＢがＲＯＭに格納され必要な時に取り出せる。さらに、制御手段６０Ｂは、後処理ジョブ内容情報２１およびインサートシート穴情報３１に基づき、後処理加工可否の判断を予め第１ルックアップテーブル６１Ｂとして作成しておき、後処理ジョブ内容情報およびインサートシート穴情報に基づき、第１ルックアップテーブル６１Ｂから抽出して制御する。また、後処理加工が可能な場合には、後処理ジョブ内容情報およびインサートシート穴情報に基づき後処理加工内容を予め第２ルックアップテーブル６２Ｂとして作成しておき、後処理ジョブ内容情報およびインサートシート穴情報に基づき、第２ルックアップテーブル６２Ｂから抽出して制御する。なお、第２ルックアップテーブル６２Ｂには、穴あきインサートシートと穴なしシートを組み合わせる場合には穴あきインサートシートＫの綴じ穴位置にシートＰの綴じ穴をあけるように作成されている。また、後処理加工が不可能な場合には、すでに取得している後処理ジョブ内容情報を操作部５１より変更可能で、インサートシート穴情報に基づき、後処理加工可能なジョブ内容を抽出できる。インサートシート穴情報に基づき、後処理加工可能なジョブ内容を予め第３ルックアップテーブル６３Ｂとして作成しておき、後処理加工可能なジョブ内容を、検知したインサートシート穴情報に基づき第３ルックアップテーブル６３Ｂから抽出して制御する。さらに、インサートシート穴情報に基づき、後処理加工可能なジョブの後処理加工内容を予め第４ルックアップテーブル６４Ｂとして作成しておき、インサートシート穴情報に基づき第４ルックアップテーブル６４Ｂから抽出して制御する。
【００５２】
実施の形態２の各ルックアップテーブルは、実施の形態１で説明した各ルックアップテーブルにおいて、シート穴情報に関する部分を取り除いたものと機能的に同じである。実施の形態２の第１から第４ルックアップテーブルについて図４、図５を参照して説明する。
【００５３】
図示しない第１ルックアップテーブル６１Ｂは、図４（ａ）の第１ルックアップテーブルにおいて、シート穴情報を除き、後処理ジョブ内容情報２１、インサートシート穴情報３１に基づき後処理加工の可否の判断が作成されものである。図示しない第２ルックアップテーブル６２Ｂは、図４（ｂ）の第２ルックアップテーブルにおいて、シート穴情報を除き、後処理ジョブ内容情報２１、インサートシート穴情報３１に基づき後処理加工内容が作成されたものである。図示しない第３ルックアップテーブル６３Ｂは、図５（ｃ）の第３ルックアップテーブルにおいて、シート穴情報を除き、インサートシート穴情報３１に基づき後処理加工の可否のリストが作成されたものである。図示しない第４ルックアップテーブル６４Ｂは、図５（ｄ）の第４ルックアップテーブルにおいて、シート穴情報を除き、インサートシート穴情報３１に基づき後処理加工内容が作成されものである。
【００５４】
なお、後処理加工内容を予め第２ルックアップテーブル６２Ｂとして作成において、穴あきインサートシートＫと穴なしシートＰを組み合わせる場合、穴あきインサートシートの綴じ穴位置にシートの綴じ穴をあけるようにすることもできる。
【００５５】
ここで、後処理装置ＦＳＢの主な動作について図７，図８により説明する。図８は後処理装置の動作の流れを示すフローチャート図である。操作部５１から後処理装置のジョブ内容を入力し、後処理ジョブ内容情報２１を検知する（フローＦ３１）。ここで、後処理装置をスタートさせるスタート操作入力をする（フローＦ３２）。シートＰを第２搬送路▲２▼に沿って搬送させる（フローＦ３３）。又、インサートシートＫを第１搬送路▲１▼に沿って搬送させ（フローＦ３４）、インサートシートの穴に関するインサートシート穴情報３１をインサートシート穴情報検知手段３０により検知する（フローＦ３５）。ここで、制御手段６０Ｂにより第１ルックアップテーブル６１Ｂを用いて後処理が実行可能かどうか判断する（フローＦ３６）。ＮＯであれば、後処理加工ミスになるので、第３ルックアップテーブル６３Ｂを用いて後処理が可能なジョブ内容の範囲を表示部５２に表示し（フローＦ３７）、ここで、表示に従い操作部５１から後処理装置のジョブ内容を再入力する（フローＦ３８）。フローＦ３６でＹＥＳ、また、再入力が終われば、シートＰの搬送（フローＦ３９）とインサートシートＫの搬送（フローＦ４０）をする。第４ルックアップテーブル６４Ｂを用いて後処理加工を行う（フローＦ４１）。その後にシート（シートとインサートシート）を排出（フローＦ４２）して処理を終了する。なお、表示部５２に表示する（フローＦ３７）後に、後処理装置のジョブを中止してシート、インサートシートを排出（フローＦ４２）するようにしてもよい。以上のように、シートの後処理加工が適切に行われ、後処理加工ミスが防止できる。
【００５６】
なお、実施の形態１、２ではインサートシートのカセットとして１つの例を示したが、これに限定されるものではなく、例えば表紙用と区分け用のインサートシートのカセットがあってもよい。また、実施の形態１、２では第１から第４のルックアップテーブルは、一例を示したものでこれに限定されるものではない。例えば、第１、３ルックアップテーブルとして、論理和、論理等を用いた論理式を用いてもよく、また、ファジー推論を用いた形式であってもよい。また、変形例として、インサートシートが使用可能な画像形成装置の後処理装置において、最初にインサートシートの綴じ穴に関するインサートシート穴情報を検知し、さらに、画像形成装置から送り込まれるシートの綴じ穴に関するシート穴情報を検知する。ここで一旦搬送を中断して、穴情報に基づき後処理可能なジョブ内容を表示部に表示し、その中より、ジョブ内容を選択する。後処理装置で行うジョブ内容の情報である後処理ジョブ内容情報で選択されたジョブにより後処理加工を行うよう制御するようにする。そのことによりジョブ設定が容易になる。また、シート穴情報検知手段は、画像形成装置側でシート穴情報を検知し、信号のみを後処理装置側で検知するものであってもよい。
【００５７】
【発明の効果】
以上のように構成したので下記のような効果を奏する。
【００５８】
請求項１に記載の発明によれば、後処理ジョブ内容情報、インサートシート穴情報およびシート穴情報に基づき後処理加工の可否を判断し可能ならば後処理加工を行うよう制御するので、シートの後処理加工を簡易でミスなく行うことができるようになった。
【００５９】
請求項２に記載の発明によれば、インサートシート穴情報検知手段およびシート穴情報検知手段は、少なくとも綴じ穴の位置、綴じ穴の有無の１つを検知するので、穴の情報を正確に知ることができるようになった。
【００６０】
請求項３に記載の発明によれば、１つの検知センサによりインサートシート穴情報検知とシート穴情報検知可能であるので、検知センサの構造が簡易となった。
【００６１】
請求項４に記載の発明によれば、検知センサはライン型ＣＣＤイメージセンサであるので、簡易で正確な穴情報が検出できるようになった。
【００６２】
請求項５に記載の発明によれば、制御手段は後処理ジョブ内容情報、インサートシート穴情報およびシート穴情報に基づきく判断を予め第１ルックアップテーブルとして作成しておき、検知した後処理ジョブ内容情報、インサートシート穴情報およびシート穴情報により第１ルックアップテーブルから抽出するので、制御が簡単になった。
【００６３】
請求項６に記載の発明によれば、制御手段は後処理加工が可能な場合、後処理加工内容を予め第２ルックアップテーブルとして作成しておき、第２ルックアップテーブルから抽出するので、制御が簡単になった。
【００６４】
請求項７に記載の発明によれば、後処理加工内容を予め第２ルックアップテーブルとして作成において、穴あきインサートシートと穴なしシートを組み合わせる場合、穴あきインサートシートの綴じ穴位置にシートの綴じ穴をあけるようにするので、正確な穿孔ができるようになった。
【００６５】
請求項８に記載の発明によれば、後処理ジョブ内容情報、インサートシート穴情報およびシート穴情報に基づき後処理加工の可否を判断し、後処理加工が不可能な場合には、ジョブ内容の変更が可能であるので、後処理加工が不可能な対応が容易となった。
【００６６】
請求項９に記載の発明によれば、後処理加工が不可能な場合、インサートシート穴情報およびシート穴情報に基づき後処理可能なジョブ内容を判断するので後処理加工が不可能な場合の対応が容易となった。
【００６７】
請求項１０に記載の発明によれば、後処理加工が不可能な場合、後処理加工ジョブを予め第３ルックアップテーブルとして作成しておき、第３ルックアップテーブルから抽出するので、後処理加工が不可能な場合の対応が容易となった。
【００６８】
請求項１１に記載の発明によれば、後処理加工の可否を判断して後処理加工が不可能な場合には、予め第４ルックアップテーブルとして作成しておき、後処理加工内容をインサートシート穴情報およびシート穴情報に基づき第４ルックアップテーブルから抽出するよう制御するので、後処理加工が不可能な場合の対応が容易となった。
【００６９】
請求項１２、２４に記載の発明によれば、少なくとも、後処理加工が不可能な場合の警告表示がされる表示部を有するので、操作が簡易で正確に操作が出るようになった。
【００７０】
請求項１３、２５に記載の発明によれば、画像形成装置および本発明の後処理装置を備えた画像形成システムであるので、この画像形成システムにおいて後処理加工ミスが防止できるにようになった。
【００７１】
請求項１４に記載の発明によれば、インサートシートが使用可能な画像形成装置の後処理装置において、後処理ジョブ内容情報およびインサートシート穴情報に基づき後処理加工の可否を判断し、可能ならば後処理加工を行うよう制御するので、シートの後処理加工を簡易で、ミスなく行うことができるようになった。
【００７２】
請求項１５に記載の発明によれば、インサートシート穴情報検知手段は、少なくとも綴じ穴の位置、綴じ穴の有無の１つを検知するので、穴の情報を正確に知ることができるようになった。
【００７３】
請求項１６に記載の発明によれば、検知センサはライン型ＣＣＤイメージセンサであるので、穴の情報を簡易で正確に知ることができるようになった。
【００７４】
請求項１７に記載の発明によれば、後処理ジョブ内容情報およびインサートシート穴情報に基づく判断を予め第１ルックアップテーブルとして作成しておき、検知した各種情報により第１ルックアップテーブルから抽出するので、制御が簡単になった。
【００７５】
請求項１８に記載の発明によれば、後処理加工が可能な場合、後処理加工内容を予め第２ルックアップテーブルとして作成しておき、検知した各種情報により第２ルックアップテーブルから抽出するので、制御が簡単になった。
【００７６】
請求項１９に記載の発明によれば、後処理加工内容を予め第２ルックアップテーブルとして作成において、穴あきインサートシートと穴なしシートを組み合わせる場合、穴あきインサートシートの綴じ穴位置にシートの綴じ穴をあけるようにするので、正確な穴があくようになった。
【００７７】
請求項２０に記載の発明によれば、後処理加工が不可能な場合には、ジョブ内容の変更が可能であるので、後処理加工が不可能な場合の対応が容易となった。
【００７８】
請求項２１に記載の発明によれば、後処理加工が不可能な場合、インサートシート穴情報に基づき後処理可能なジョブ内容を判断するので、後処理加工が不可能な場合の対応が容易となった。
【００７９】
請求項２２に記載の発明によれば、後処理加工が不可能な場合、後処理加工ジョブを予め第３ルックアップテーブルとして作成しておき、検知した各情報により第３ルックアップテーブルから抽出するので、後処理加工が不可能な場合の対応が容易となった。
【００８０】
請求項２３に記載の発明によれば、後処理加工の可否を判断して後処理加工が不可能な場合には、予め第４ルックアップテーブルとして作成しておき、後処理加工内容をインサートシート穴情報に基づき第４ルックアップテーブルから抽出するよう制御するので、後処理加工が不可能な場合の対応が容易となった。
【図面の簡単な説明】
【図１】実施の形態１における後処理装置を含む画像形成システムの構成を示す断面図である。
【図２】図１の後処理装置の構成を示す断面図である。
【図３】実施の形態１における後処理装置の電気関係ブロック図である。
【図４】実施の形態１における第１、２のルックアップテーブルである。
【図５】実施の形態１における第３、４のルックアップテーブルである。
【図６】実施の形態１における後処理装置のフローチャートを示す図である。
【図７】実施の形態２における後処理装置の構成を示す断面図である。
【図８】実施の形態２における後処理装置のフローチャートを示す図である。
【図９】後処理装置における後処理加工ミスの一例を示す図である。
【符号の説明】
３０  インサートシート穴情報検知手段
４０  シート穴情報検知手段
５１  操作部
６１Ａ  第１ルックアップテーブル
６２Ａ  第２ルックアップテーブル
６３Ａ  第３ルックアップテーブル
６４Ａ  第４ルックアップテーブル
６５Ａ、６５Ｂ  制御手段
１００  画像形成装置
ＦＳＡ、ＦＳＢ  後処理装置
Ｐ  シート
Ｋ  インサートシート
【図１】
2005029295.tif 000003
【図２】
2005029295.tif 000004
【図３】
2005029295.tif 000005
【図４】
2005029295.tif 000006
【図５】
2005029295.tif 000007
【図６】
2005029295.tif 000008
【図７】
2005029295.tif 000009
【図８】
2005029295.tif 000010
【図９】
2005029295.tif 000011